(57)【特許請求の範囲】
【請求項１】
第１の通信方式による通信を処理する第１の通信処理部と、第２の通信方式による通信を処理する第２の通信処理部とを備え、当該第１の通信方式及び当該第２の通信方式により通話可能な移動体通信端末であって、
初期段階において前記第１の通信処理部は起動状態とし、前記第２の通信処理部は停止状態とするとともに、
前記第１の通信処理部は、前記第１の通信方式を実行する第１の基地局から送信された起動要求を受信する手段と、前記起動要求に応じて第２の通信処理部に対して起動要求を通知する手段とを有し、
前記第２の通信処理部は、前記第１の通信処理部から通知された起動要求に応じて起動する手段を有し、
前記第１の通信処理部は、前記第２の通信処理部の起動にエラーが生じた場合には、前記第１の基地局との間で着信処理を実行することを特徴とする移動体通信端末。
【請求項２】
前記初期段階において、前記第１の通信処理部は起動状態とし、前記第２の通信処理部の停止状態が、位置登録完了後ページングチャネルのモニタリングを停止している状態とする、請求項１に記載の移動体通信端末。
【請求項３】
第１の通信方式及び第２の通信方式により通話可能な移動体通信端末と、第１の通信方式により通信を行なう第１の基地局と、第２の通信方式により通信を行なう第２の基地局と、当該第１の基地局及び第２の基地局と接続された交換網とを備えた移動体通信システムであって、
前記交換網は、前記移動体通信端末に対する第２の通信方式による着信要求があった場合に、前記第１の基地局に対して起動要求を送信し、
前記第１の基地局は、前記起動要求を受信し、前記第１の通信方式によって前記移動体通信端末に対して起動要求を送信し、
前記移動体通信端末は、第１の基地局から前記起動要求を受信し、初期段階において停止状態にある第２の通信方式による通信を処理する通信処理部を起動し、
さらに、前記第２の通信方式により通信を処理する通信処理部の起動にエラーが生じた場合には、前記移動体通信端末と前記第１の基地局との間で着信処理を実行することを特徴とする移動体通信システム。
【請求項４】
第１の通信方式及び第２の通信方式により通話可能な移動体通信端末によって通信を行なう通信方法であって、
前記移動体通信端末に対する第２の通信方式による着信要求があった場合に、網側から第１の通信方式によって前記移動体通信端末に対して起動要求を送信するステップと、
前記移動体通信端末において、前記網側から前記起動要求を受信し、初期段階において停止状態にある第２の通信方式による通信を処理する通信処理部を起動するステップを備え、
前記通信処理部の起動にエラーが生じた場合には、前記第１の通信方式で着信処理を実行することを特徴とする通信方法。
【発明の詳細な説明】
【０００１】
【発明が属する技術分野】
本発明は、移動体通信端末、移動体通信システム及び通信方法に関するものであり、特に、複数の通信方式により通信可能な移動体通信端末、その移動体通信端末を含む移動体通信システム及びその移動体通信端末を用いた通信方法に関する。
【０００２】
【従来の技術】
移動体通信分野は、急速に進歩しており、１９８０年頃にアナログ方式がサービスを開始し、そして、１９９０年代には、日本ではＰＤＣ（Personal Digital Cellular Telecommunications System）方式、ヨーロッパではＧＳＭ（Global System for Mobile communications）方式等がサービスを開始した。さらに、１つの端末で世界中のどこでも使用できる標準システムとして、ＩＭＴ２０００（International Mobile Telecommunication - 2000）方式が提案されている。このＩＭＴ２０００方式では、無線部分にＷ−ＣＤＭＡ（Wide band - Code Division Multiplex Access）とＣＤＭＡ２０００が採用されている。
【０００３】
このように複数の通信方式が運用されている状況においては、基本的に、複数のサービスを受けるためには、これらの通信方式に対応することができる専用の移動体通信端末を通信方式毎に持たなければならず、不便である。そこで、複数の通信方式で通信可能なマルチモード端末が提案されている。特に、２つの通信方式で通信可能な移動体通信端末はデュアル端末と呼ばれる。
【０００４】
このようなマルチモード端末が通信可能な通信方式には、通常、端末における通信処理が複雑でなく消費電力が小さい通信方式と、その通信方式と比較して通信処理が複雑で消費電力が大きい通信方式が含まれる。例えば、ＰＤＣとＷ−ＣＤＭＡのデュアル端末では、Ｗ−ＣＤＭＡの方がＰＤＣよりも受信処理に関して消費電力が極めて大きく、待受け時間が極端に短くなるという問題がある。
【０００５】
他方、従来より、移動体通信端末における消費電力を削減し、待受け時間を長くする技術が種々提案されている。その一つが特開平５−１６７５２４号公報に開示されている。この公報においては、ポケットベル用無線で携帯電話機の呼び出しを受信し、この呼び出し情報に基づき電話部に電源を供給し、通話を行なう技術が開示されている。しかしながら、この公報に開示された携帯電話機は、それ自体通話に利用できないポケットベルの無線通信を利用したものであり、本発明が前提とする複数の通信方式により通話できる移動体通信端末とは、異なるものである。
【０００６】
【発明が解決しようとする課題】
上述のように、従来の、デュアルモード端末を始めとする複数の通信方式より通話可能な移動体通信端末では、複数の通信方式に対応した通信処理を行なう必要性や消費電力の大きい通信方式を処理する必要性により、全体として消費電力が大きくなり、待受け時間が短くなるという問題点があった。
【０００７】
本発明は、このような問題点を解決するためになされたものであり、消費電力の削減を図ることができる移動体通信端末、移動体通信システム及び通信方法を提供することを目的とする。
【０００８】
【課題を解決するための手段】
本発明にかかる移動体通信端末は、第１の通信方式による通信を処理する第１の通信処理部（例えば、本発明の実施の形態におけるＰＤＣ処理部１０２）と、第２の通信方式による通信を処理する第２の通信処理部（例えば、本発明の実施の形態におけるＷ−ＣＤＭＡ通信処理部１０１）とを備え、当該第１の通信方式及び当該第２の通信方式により通話可能な移動体通信端末（例えば、本発明の実施の形態における携帯電話端末１）であって、初期段階において前記第１の通信処理部は起動状態とし、前記第２の通信処理部は停止状態とするとともに、前記第１の通信処理部は、前記第１の通信方式を実行する第１の基地局から送信された起動要求を受信する手段と、前記起動要求に応じて第２の通信処理部に対して起動要求を通知する手段とを有し、前記第２の通信処理部は、前記第１の通信処理部から通知された起動要求に応じて起動する手段を有し、前記第１の通信処理部は、前記第２の通信処理部の起動にエラーが生じた場合には、前記第１の基地局との間で着信処理を実行するようにしたものである。このような構成により、起動要求を受信するまでは、第２通信処理部は停止状態にあるため、消費電力の削減を図ることができるうえ、さらに、通話を確実に行うことができる。
【００１１】
他方、本発明にかかる他の移動体通信端末は、前記第２の通信処理部の停止状態が、位置登録完了後ページングチャネルのモニタリングを停止している状態でとするようにしてもよい。これにより第２の通信処理部の起動時間を短縮することができる。
【００１２】
本発明にかかる移動体通信システムは、第１の通信方式及び第２の通信方式により通話可能な移動体通信端末と、第１の通信方式により通信を行なう第１の基地局と、第２の通信方式により通信を行なう第２の基地局と、当該第１の基地局及び第２の基地局と接続された交換網とを備えた移動体通信システムであって、前記交換網は、前記移動体通信端末に対する第２の通信方式による着信要求があった場合に、前記第１の基地局に対して起動要求を送信し、前記第１の基地局は、前記起動要求を受信し、前記第１の通信方式によって前記移動体通信端末に対して起動要求を送信し、前記移動体通信端末は、第１の基地局から前記起動要求を受信し、初期段階において停止状態にある第２の通信方式による通信を処理する通信処理部を起動し、さらに、前記第２の通信方式により通信を処理する通信処理部の起動にエラーが生じた場合には、前記移動体通信端末と前記第１の基地局との間で着信処理を実行するようにしたものである。このような構成により、起動要求を受信するまでは、第２通信処理部は停止状態にあるため、消費電力の削減を図ることができるうえ、さらに、通話を確実に行うことができる。
【００１６】
本発明かかる移動体通信方法は、第１の通信方式及び第２の通信方式により通話可能な移動体通信端末によって通信を行なう通信方法であって、前記移動体通信端末に対する第２の通信方式による着信要求があった場合に、網側から第１の通信方式によって前記移動体通信端末に対して起動要求を送信するステップと、前記移動体通信端末において、前記網側から前記起動要求を受信し、初期段階において停止状態にある第２の通信方式による通信を処理する通信処理部を起動するステップを備え、前記通信処理部の起動にエラーが生じた場合には、前記第１の通信方式で着信処理を実行するステップを備えたものである。このような方法により、起動要求を受信するまでは、第２通信処理部は停止状態にあるため、消費電力の削減を図ることができるうえ、さらに、通話を確実に行うことができる。
【００２２】
【発明の実施の形態】
発明の実施の形態１．
まず、図１を用いて、本発明の実施の形態１にかかる移動体通信システムの構成について説明する。この移動体通信システムは、図１に示されるように、携帯電話端末１、ＰＤＣ基地局２、Ｗ−ＣＤＭＡ基地局３及び携帯電話事業者交換網４を備えている。
【００２３】
携帯電話端末１は、移動体通信端末の一例として例示したものであり、この例では、ＰＤＣ方式及びＷ−ＣＤＭＡ方式の双方により通信可能なデュアル端末である。即ち、この携帯電話端末１は、ＰＤＣ基地局２とＰＤＣ方式の無線インタフェースにより通信できる能力を備えるとともに、Ｗ−ＣＤＭＡ基地局３とＷ−ＣＤＭＡ方式の無線インタフェースにより通信できる能力を備えている。
【００２４】
ＰＤＣ基地局２は、ＰＤＣ方式により、自局の無線エリア内の携帯電話端末１と通信を行なうことができる。また、ＰＤＣ基地局２は、携帯電話事業者交換網４と通信回線で接続されている。
【００２５】
Ｗ−ＣＤＭＡ基地局３は、Ｗ−ＣＤＭＡ方式により、自局の無線エリア内の携帯電話端末１と通信を行なうことができる。また、Ｗ−ＣＤＭＡ基地局３は、携帯電話事業者交換網４と通信回線で接続されている。
【００２６】
携帯電話事業者交換網４は、通信の呼を交換する能力を有し、外部ネットワークからの着信も可能である。
【００２７】
続いて、図２を用いて、携帯電話端末１の構成について説明する。この携帯電話端末１は、ユーザＩ／Ｆ制御部１０、Ｗ−ＣＤＭＡ無線部１１、Ｗ−ＣＤＭＡ制御部１２、ＰＤＣ無線部１３、ＰＤＣ制御部１４、メモリ１５、キーボード１６、マイク１７、スピーカ１８及び表示装置１９を備えている。
【００２８】
ユーザＩ／Ｆ制御部１０は、キーボード１６、マイク１７、スピーカ１８、表示装置１９を制御し、キーボード１６及びマイク１７によって入力される情報やスピーカ１８及び表示装置１９によって出力される情報を処理し、Ｗ−ＣＤＭＡ制御部１２及びＰＤＣ制御部１４との間の情報のやりとりを行なう。
【００２９】
Ｗ−ＣＤＭＡ無線部１１は、Ｗ−ＣＤＭＡ基地局３とＷ−ＣＤＭＡ方式に従った無線通信を行なう。Ｗ−ＣＤＭＡ制御部１２は、主としてＷ−ＣＤＭＡ無線部１１を制御する。
【００３０】
ＰＤＣ無線部１３は、ＰＤＣ基地局２とＰＤＣ方式に従った無線通信を行なう。ＰＤＣ制御部１４は、主としてＰＤＣ無線部１３を制御する。ここで、Ｗ−ＣＤＭＡ制御部１２とＰＤＣ制御部１４は、互いに通信可能である。
【００３１】
ここで、Ｗ−ＣＤＭＡ方式により通信を処理するＷ−ＣＤＭＡ制御部１２及びＷ−ＣＤＭＡ無線部１１をあわせてＷ−ＣＤＭＡ通信処理部１０１とする。また、ＰＤＣ方式により通信を処理するＰＤＣ制御部１４とＰＤＣ無線部１３をあわせてＰＤＣ通信処理部１０２とする。
【００３２】
メモリ１５は、ユーザＩ／Ｆ制御部１０、Ｗ−ＣＤＭＡ制御部１２及びＰＤＣ制御部１４によって使用される記憶手段であって、実装としては複数のモジュールに分けることもできる。
【００３３】
キーボード１６は、ユーザから電話番号等の入力を行なうものである。マイク１７は、ユーザによって音声を入力し、送話信号等に変換するものである。スピーカ１８は、受話信号等を変換し音声を出力する。表示装置１９は、ＬＣＤ(Liquid Crystal Display)や有機ＥＬ（Electro Luminescence）素子等によって情報を視覚的に伝達するための装置である。
【００３４】
続いて、図３のシーケンス図を用いて、本発明の実施の形態１にかかる移動体通信システムにおける処理について説明する。このシーケンス図は、携帯電話端末１に対してＷ−ＣＤＭＡへの着信（Mobile Terminate Call）があった場合の処理を示している。また、初期状態において、携帯電話端末１のＷ−ＣＤＭＡ通信処理部１０１は停止した状態にあり、ＰＤＣ通信処理部１０２は位置登録（Attach/Location Registration）が完了し、待受け（IDLE/PCH monitoring）状態にある。ここで、この発明の実施の形態１において、Ｗ−ＣＤＭＡ通信処理部１０１が停止した状態とは、Ｗ−ＣＤＭＡ無線部１１の電源がオフ状態にあり、Ｗ−ＣＤＭＡ制御部１２のみ電源がオン状態にあることをいう。
【００３５】
まず、携帯電話事業者交換網４が、携帯電話端末１に対しＷ−ＣＤＭＡ方式よる通信を要求する着信を検出したとする。このとき、携帯電話事業者交換網４では、着信先の携帯電話端末１がいわゆるマルチモード端末の場合に本発明のような処理が実行される。マルチモード端末以外の場合には、その端末の通信可能な通信方式によって着信要求が実行される。ここで、着信先の携帯電話端末１がマルチモード端末であるか否かは、端末販売時又は事後的に携帯電話事業者交換網４に登録し、管理することが好ましい。また、携帯電話端末１がマルチモード端末である場合にも、どの通信方式を優先的に使用するかを特定する情報も携帯電話事業者交換網４において管理することが望まれる。但し、ＰＤＣ方式とＷ−ＣＤＭＡ方式の場合のように、明らかにＷ−ＣＤＭＡ方式の方が通信音質が良く、ユーザが選択する可能性が高い場合には、Ｗ−ＣＤＭＡ方式をいわゆるデフォルトとして優先的に使用することとしてもよい。
【００３６】
携帯電話事業者交換網４は、通信回線を介してＰＤＣ基地局２に対してＷ−ＣＤＭＡ通信処理部起動要求を送信する（Ｓ１０１）。ＰＤＣ基地局２は、携帯電話事業者交換網４からＷ−ＣＤＭＡ通信処理部起動要求を受信する。そして、ＰＤＣ基地局２は、携帯電話端末１に対してＰＤＣ方式によりＷ−ＣＤＭＡ通信処理部起動要求を含むページング信号を送信する（Ｓ１０２）。
【００３７】
携帯電話端末１は、ＰＤＣ通信処理部１０２によってこのページング信号を受信する。そして、当該ページング信号中に含まれるＷ−ＣＤＭＡ通信処理部起動要求に基づいて、ＰＤＣ制御部１４は、Ｗ−ＣＤＭＡ制御部１２に対して起動要求を行なう（Ｓ１０３）。Ｗ−ＣＤＭＡ制御部１２は、当該起動要求を受けてＷ−ＣＤＭＡ無線部１１の電源をオン状態にし、Ｗ−ＣＤＭＡ通信処理部１０１を起動状態にする。そして、Ｗ−ＣＤＭＡ制御部１２は、当該Ｗ−ＣＤＭＡ無線部１１が正常に起動したことを確認して、起動確認をＰＤＣ制御部１４に通知する（Ｓ１０４）。ＰＤＣ制御部１４は、この起動確認を受けて、ＰＤＣ基地局２に対しＷ−ＣＤＭＡにて着信可能であることを示す着信無線状態報告を送信する（Ｓ１０５）。ＰＤＣ基地局２は、携帯電話端末１より当該着信無線状態報告を受信する。
【００３８】
携帯電話端末１のＷ−ＣＤＭＡ制御部１２は、起動要求に応じて起動した後、位置登録信号をＷ−ＣＤＭＡ基地局３に送信し、携帯電話端末１とＷ−ＣＤＭＡ基地局３間で位置登録処理を実行する（Ｓ１０６）。Ｗ−ＣＤＭＡ基地局３は、この位置登録処理が完了した場合には、その旨を示す位置登録完了通知を通信回線を介して携帯電話事業者交換網４に対して送信する（Ｓ１０７）。
【００３９】
携帯電話事業者交換網４は、Ｗ−ＣＤＭＡ基地局３から位置登録完了通知を受信する。そして、携帯電話事業者交換網４は、通信回線を介してＷ−ＣＤＭＡ基地局３に対して当該携帯電話端末１への着信要求を送信する（Ｓ１０８）。
【００４０】
Ｗ−ＣＤＭＡ基地局３は、携帯電話事業者交換網４から送信された着信要求を受信する。Ｗ−ＣＤＭＡ基地局３は、この着信要求に応じて、携帯電話端末１に対してページング信号を送信する（Ｓ１０９）。
【００４１】
携帯電話端末１は、Ｗ−ＣＤＭＡ無線部１１及びＷ−ＣＤＭＡ制御部１２によってページング信号を受信する。その後、Ｗ−ＣＤＭＡ基地局３と携帯電話端末１のＷ−ＣＤＭＡ通信処理部１０１の間で着信処理を実行する（Ｓ１１０）。そして、携帯電話端末１は通話状態に移行する。
【００４２】
このような一連の処理により、携帯電話端末１においてＷ−ＣＤＭＡ通信処理部１０１が停止状態にあったとしても、Ｗ−ＣＤＭＡ方式の着信処理を行うことができる。
【００４３】
続いて、携帯電話端末１のＰＤＣ通信処理部１０２からＷ−ＣＤＭＡ通信処理部１０１に対して通知された起動要求（図３：Ｓ１０３）に応じてＷ−ＣＤＭＡ通信処理部１０１が正常に起動しなかった場合の処理について説明する。図４は、この処理を示すシーケンス図である。携帯電話端末１では、図３の場合と同様に、初期状態において、Ｗ−ＣＤＭＡ通信処理部１０１は停止した状態にあり、ＰＤＣ通信処理部１０２は位置登録が完了し、待受け状態にある。
【００４４】
携帯電話事業者交換網４は携帯電話端末１に対しＷ−ＣＤＭＡ方式よる通信を要求する着信を検出し、ＰＤＣ基地局２に対してＷ−ＣＤＭＡ通信処理部起動要求を送信する（Ｓ２０１）。ＰＤＣ基地局２は、当該Ｗ−ＣＤＭＡ通信処理部起動要求の受信に応じて、携帯電話端末１に対してＰＤＣ方式によりＷ−ＣＤＭＡ通信処理部起動要求を含むページング信号を送信する（Ｓ２０２）。携帯電話端末１は、ＰＤＣ通信処理部１０２によってこのページング信号を受信し、当該ページング信号中に含まれるＷ−ＣＤＭＡ通信処理部起動要求に基づいて、ＰＤＣ制御部１４は、Ｗ−ＣＤＭＡ制御部１２に対して起動要求を行なう（Ｓ２０３）。
【００４５】
Ｗ−ＣＤＭＡ制御部１２は、当該起動要求を受けてＷ−ＣＤＭＡ無線部１１の電源をオン状態にする。このとき、Ｗ−ＣＤＭＡ制御部１２は、当該Ｗ−ＣＤＭＡ無線部１１が正常に起動しなかったことを検出したものとする。例えば、受信品質の測定の結果、通信を行うために必要な受信品質を有するチャネルを検出できなかったような場合である。このような場合に、Ｗ−ＣＤＭＡ制御部１２は、ＰＤＣ制御部１４に対して起動エラー通知を行う（Ｓ２０４）。ＰＤＣ制御部１４は、この起動エラー通知を受けて、ＰＤＣ基地局２に対してＷ−ＣＤＭＡ方式にて着信不可であり、ＰＤＣ方式により着信可能であることを示す着信無線状態報告を送信する（Ｓ２０５）。
【００４６】
ＰＤＣ基地局２は、携帯電話端末１より当該着信無線状態報告を受信する。そして、ＰＤＣ基地局２と携帯電話端末１のＰＤＣ通信処理部１０２との間で通常の着信処理を実行する（Ｓ２０６）。
【００４７】
このように、Ｗ−ＣＤＭＡにより通信できない状況にある場合でもＰＤＣ方式により着信を行うことができるため、ＰＤＣの無線エリアとＷ−ＣＤＭＡの無線エリアとを意識することなく、より広い無線エリアにおいて通信可能になる。
【００４８】
続いて、本発明の実施の形態１にかかる移動体通信システムにおける携帯電話事業者交換網４、ＰＤＣ基地局２及び携帯電話端末１のそれぞれの処理フローを図５、図６及び図７を用いて説明する。尚、Ｗ−ＣＤＭＡ基地局３については、基本的に通常の処理と同じであるため、説明を省略する。
【００４９】
最初に図５に示すフローチャートを用いて携帯電話事業者交換網４の処理フローを説明する。
【００５０】
携帯電話事業者交換網４は、携帯電話端末１に対する着信を検出した場合（Ｓ３０１）、その着信がＷ−ＣＤＭＡ方式の利用を要求するものであるかどうかを判定する（Ｓ３０２）。携帯電話事業者交換網４が、着信はＷ−ＣＤＭＡ方式の利用を要求するものでないと判定した場合には、ＰＤＣ方式による通信を行なう（Ｓ３０３）。
【００５１】
他方、携帯電話事業者交換網４が、着信はＷ−ＣＤＭＡ方式の利用を要求するものであると判定した場合には、ＰＤＣ基地局２に対してＷ−ＣＤＭＡ通信処理部起動要求を送信する（Ｓ３０４）。
【００５２】
その後、ＰＤＣ基地局２から着信不可通知を受信した場合（Ｓ３０５）には、着信失敗と判断し（Ｓ３０８）、その旨のメッセージを発呼者側に通知する。他方、ＰＤＣ基地局２から着信不可通知を受信しない場合（Ｓ３０５）には、ＰＤＣ基地局２から位置登録完了通知を受信したか否かを判定する（Ｓ３０６）。そして、携帯電話事業者交換網４がＰＤＣ基地局２から予め定められた時間内に当該位置登録完了通知を受信しなかった場合には、着信失敗と判断し（Ｓ３０８）、その旨のメッセージを発呼者側に通知する。
【００５３】
他方、携帯電話事業者交換網４が、当該位置登録完了通知を受信した場合には、着信要求をＷ−ＣＤＭＡ基地局３に対して送信する（Ｓ３０７）。
【００５４】
次に、図６に示すフローチャートを用いてＰＤＣ基地局２の処理フローについて説明する。
【００５５】
まず、ＰＤＣ基地局２は、携帯電話事業者交換網４からＷ−ＣＤＭＡ通信処理部起動要求通知を受信すると（Ｓ４０１）、携帯電話端末１に対してＰＤＣ方式によりＷ−ＣＤＭＡ通信処理部起動要求を含むページング信号を送信する（Ｓ４０２）。
【００５６】
ＰＤＣ基地局２は、その後、予め定められた時間内に携帯電話端末１から着信無線状態報告を受信したかどうかを判定する（Ｓ４０３）。ＰＤＣ基地局２が予め定められた時間内に携帯電話端末１から着信無線状態報告を受信しない場合には、携帯電話事業者交換網４に対して着信不可通知を行なう（Ｓ４０４）。
【００５７】
ＰＤＣ基地局１が携帯電話端末１から着信無線状態報告を受信した場合には、その内容がＷ−ＣＤＭＡにて着信可能であることを示すものであるか否かについて判定する（Ｓ４０５）。着信無線状態報告がＷ−ＣＤＭＡにて着信可能であることを示すものでない場合、即ちＰＤＣにて着信可能であることを示す場合には、ＰＤＣ基地局２は、携帯電話端末１のＰＤＣ通信処理部１０２との間で通常の着信処理を実行する（Ｓ４０７）。また、着信無線状態報告がＷ−ＣＤＭＡにて着信可能であること示すものである場合には、ＰＤＣ基地局２は、処理完了とし特に今回の着信に関してはさらなる処理を行なわない（Ｓ４０６）。
【００５８】
次に、図７に示すフローチャートを用いて携帯電話端末１の処理フローについて説明する。
【００５９】
携帯電話端末１がＰＤＣ通信処理部１０２においてＰＤＣ基地局２からＷ−ＣＤＭＡ通信処理部起動要求を受信した場合（Ｓ５０１）には、ＰＤＣ通信処理部１０２からＷ−ＣＤＭＡ通信処理部１０１に対してこの起動要求を通知する（Ｓ５０２）。Ｗ−ＣＤＭＡ制御部１２は、当該起動要求を受けてＷ−ＣＤＭＡ無線部１１の電源をオン状態にし、Ｗ−ＣＤＭＡ通信処理部１０１を起動状態にする（Ｓ５０３）。
【００６０】
このとき、Ｗ−ＣＤＭＡ通信処理部１０１が正常に起動しなかった場合（Ｓ５０４）、即ち、ＰＤＣ通信処理部１０２がＷ−ＣＤＭＡ通信処理部１０１から起動エラー通知を受けた場合には、ＰＤＣ通信処理部１０２からＰＤＣ基地局２に対して、Ｗ−ＣＤＭＡにて着信不可であり、ＰＤＣにて着信可能であることを示す着信無線状態報告を送信する（Ｓ５０６）。この場合には、ＰＤＣ基地局２と携帯電話端末１のＰＤＣ通信処理部１０２との間で通常の着信処理を実行する（Ｓ５１０）。
【００６１】
他方、Ｗ−ＣＤＭＡ通信処理部１０１が正常に起動した場合（Ｓ５０４）には、即ち、Ｗ−ＣＤＭＡ通信処理部１０１からＰＤＣ通信処理部１０２が起動確認を受けた場合には、ＰＤＣ通信処理部１０２はＰＤＣ基地局２に対してＷ−ＣＤＭＡにて着信可能であることを示す着信無線状態報告を送信する（Ｓ５０５）。
【００６２】
そして、携帯電話端末１のＷ−ＣＤＭＡ制御部１２は、Ｗ−ＣＤＭＡ無線部１１によって、位置登録信号をＷ−ＣＤＭＡ基地局３に送信する（Ｓ５０７）。次に携帯電話端末１は、Ｗ−ＣＤＭＡ基地局３から送信されたページング信号をＷ−ＣＤＭＡ無線部１１及びＷ−ＣＤＭＡ制御部１２によって受信する（Ｓ５０８）。その後、携帯電話端末１のＷ−ＣＤＭＡ通信処理部１０１は、Ｗ−ＣＤＭＡ基地局３との間で着信処理を実行する（Ｓ５０９）。これに続いて、携帯電話端末１は通話状態に移行する。
【００６３】
以上、説明したように、本発明の実施の形態１にかかる移動体通信端末では、Ｗ−ＣＤＭＡ無線部の電源を待受け時にオフ状態にすることができ、電力消費を削減することができる。
【００６４】
また、待受け時には、Ｗ−ＣＤＭＡ無線部は停止状態にあり位置更新処理は行われないため、位置更新処理に伴うトラフィックを軽減でき、Ｗ−ＣＤＭＡ方式の無線リソースを軽減できるという効果もある。
【００６５】
さらには、本発明の実施の形態１にかかる移動体通信システムでは、Ｗ−ＣＤＭＡ方式の無線ネットワークを変更することなく実現可能である。そのため、国際的な標準化仕様（３ＧＰＰ仕様）を変更する必要がないため、導入が極めて容易である。
【００６６】
発明の実施の形態２．
次に本発明の実施の形態２にかかる移動体通信システムについて図８に示すシーケンス図を用いて説明する。尚、この発明の実施の形態２にかかる移動体通信システムの全体構成及び携帯電話端末の構成は、図１及び図２に示す構成と同様であり、説明を省略する。
【００６７】
図８に示すシーケンス図は、携帯電話端末１に対しＷ−ＣＤＭＡ方式よる通信を要求する着信があった場合の処理を示している。この発明の実施の形態２にかかる携帯電話端末１では、初期状態において、ＰＤＣ通信処理部１０２は位置登録が完了し、待受け状態にある。他方、Ｗ−ＣＤＭＡ通信処理部１０１は、位置登録が完了し、待受け状態にあるが、ページングチャネル（ＰＣＨ）のモニタリングは行なっていない状態にある。即ち、Ｗ−ＣＤＭＡ通信処理部１０１は、ＰＣＨモニタリングを行なっていない分、電源消費を削減している。
【００６８】
まず、携帯電話事業者交換網４が、携帯電話端末１に対しＷ−ＣＤＭＡ方式よる通信を要求する着信を検出したとする。この場合、携帯電話事業者交換網４は、通信回線を介してＷ−ＣＤＭＡ基地局３に対して着信要求を送信する（Ｓ６０１）。
【００６９】
Ｗ−ＣＤＭＡ基地局３は、携帯電話事業者交換網４から着信要求を受信する。そして、Ｗ−ＣＤＭＡ基地局３は、携帯電話端末１に対してＷ−ＣＤＭＡ方式によりページング信号を送信する（Ｓ６０２）。この例では、携帯電話端末１は、ＰＣＨモニタリングを行なっていないため、Ｗ−ＣＤＭＡ基地局３より送信されたページング信号を受信することができない。
【００７０】
このため、携帯電話事業者交換網４は、ＰＤＣ基地局２に対してＷ−ＣＤＭＡ通信処理部起動要求を通信回線を介して送信する（Ｓ６０３）。
【００７１】
ＰＤＣ基地局２は、携帯電話事業者交換網４からＷ−ＣＤＭＡ通信処理部起動要求を受信する。そして、ＰＤＣ基地局２は、携帯電話端末１に対してＰＤＣ方式によりＷ−ＣＤＭＡ通信処理部起動要求を含むページング信号を送信する（Ｓ６０４）。
【００７２】
携帯電話端末１は、ＰＤＣ通信処理部１０２によってこのページング信号を受信する。そして、当該ページング信号中に含まれるＷ−ＣＤＭＡ通信処理部起動要求に基づいて、ＰＤＣ制御部１４は、Ｗ−ＣＤＭＡ制御部１２に対して起動要求を行なう（Ｓ６０５）。Ｗ−ＣＤＭＡ制御部１２は、当該起動要求を受けてＷ−ＣＤＭＡ無線部１１によりＰＣＨモニタリングを開始する。そして、Ｗ−ＣＤＭＡ制御部１２は、当該Ｗ−ＣＤＭＡ無線部１１が正常に起動し、ページング信号が受信できたことを確認して、起動確認をＰＤＣ制御部１４に通知する（Ｓ６０６）。
【００７３】
ＰＤＣ制御部１４は起動確認を受けて、ＰＤＣ基地局２に対してＷ−ＣＤＭＡにて着信可能であることを示す着信無線状態報告を送信する（Ｓ６０７）。ＰＤＣ基地局２は、携帯電話端末１より当該着信無線状態報告を受信する。
【００７４】
その後、Ｗ−ＣＤＭＡ基地局３と携帯電話端末１のＷ−ＣＤＭＡ通信処理部１０１の間で着信処理を実行する（Ｓ６０８）。これに続いて、携帯電話端末１は通話状態に移行する。
【００７５】
このような一連の処理により、携帯電話端末１においてＷ−ＣＤＭＡ通信処理部１０１がＰＣＨのモニタリングを停止した状態にあったとしても、Ｗ−ＣＤＭＡ方式の着信処理を行なうことができる。
【００７６】
発明の実施の形態３．
次に本発明の実施の形態３にかかる移動体通信システムについて図９に示すシーケンス図を用いて説明する。尚、この発明の実施の形態３にかかる移動体通信システムの全体構成及び携帯電話端末の構成は、図１及び図２に示す構成と同様であり、説明を省略する。この発明の実施の形態３では、ＰＤＣ基地局が携帯電話端末１からＷ−ＣＤＭＡにより着信可能であることを示す着信無線状態報告を受け、携帯電話事業者交換網４に対してその旨を通知し、当該携帯電話事業者交換網４から再度Ｗ−ＣＤＭＡ基地局３に対して着信要求を行なっている点に特徴を有する。
【００７７】
図９に示すシーケンス図は、携帯電話端末１に対しＷ−ＣＤＭＡ方式よる通信を要求する着信があった場合の処理を示している。この発明の実施の形態３にかかる携帯電話端末１では、初期状態において、ＰＤＣ通信処理部１０２は位置登録が完了し、待受け状態にある。また、Ｗ−ＣＤＭＡ通信処理部１０１は、停止しておらず、位置登録が完了し、待受け状態にあるが、ＰＣＨモニタリングは行なっていない状態にある。即ち、Ｗ−ＣＤＭＡ通信処理部１０１は、ＰＣＨモニタリングを行なっていない分、電源消費を削減している。
【００７８】
まず、携帯電話事業者交換網４が、携帯電話端末１に対しＷ−ＣＤＭＡ方式よる通信を要求する着信を検出したとする。この場合、携帯電話事業者交換網４は、Ｗ−ＣＤＭＡ基地局３に対して着信要求を通信回線を介して送信する（Ｓ７０１）。
【００７９】
Ｗ−ＣＤＭＡ基地局３は、携帯電話事業者交換網４から着信要求を受信する。そして、Ｗ−ＣＤＭＡ基地局３は、携帯電話端末１に対してＷ−ＣＤＭＡ方式によりページング信号を送信する（Ｓ７０２）。この例では、携帯電話端末１では、ＰＣＨモニタリングを行なっていないため、Ｗ−ＣＤＭＡ基地局３より送信されたページング信号を受信することができない。
【００８０】
このため、携帯電話事業者交換網４は、ＰＤＣ基地局２に対してＷ−ＣＤＭＡ通信処理部起動要求を通信回線を介して送信する（Ｓ７０３）。
【００８１】
ＰＤＣ基地局２は、携帯電話事業者交換網４からＷ−ＣＤＭＡ通信処理部起動要求を受信する。そして、ＰＤＣ基地局２は、携帯電話端末１に対してＰＤＣ方式によりＷ−ＣＤＭＡ通信処理部起動要求を含むページング信号を送信する（Ｓ７０４）。
【００８２】
携帯電話端末１は、ＰＤＣ通信処理部１０２によってこのページング信号を受信する。そして、当該ページング信号中に含まれるＷ−ＣＤＭＡ通信処理部起動要求に基づいて、ＰＤＣ制御部１４は、Ｗ−ＣＤＭＡ制御部１２に対して起動要求を行なう（Ｓ７０５）。Ｗ−ＣＤＭＡ制御部１２は、当該起動要求を受けてＷ−ＣＤＭＡ無線部１１によりＰＣＨモニタリングを開始する。そして、Ｗ−ＣＤＭＡ制御部１２は、当該Ｗ−ＣＤＭＡ無線部１１が正常に起動し、ページング信号が受信できたことを確認して、起動確認をＰＤＣ制御部１４に通知する（Ｓ７０６）。ＰＤＣ制御部１４は起動確認を受けて、ＰＤＣ基地局２に対してＷ−ＣＤＭＡ方式にて着信可能であることを示す着信無線状態報告を送信する（Ｓ７０７）。
【００８３】
ＰＤＣ基地局２は、携帯電話端末１より当該着信無線状態報告を受信する。そして、このＰＤＣ基地局２は、当該着信無線状態報告の受信に応じて、携帯電話事業者交換網４に対して、Ｗ−ＣＤＭＡ通信処理部着信可能通知を送信する（Ｓ７０８）。
【００８４】
携帯電話事業者交換網４は、このＷ−ＣＤＭＡ通信処理部着信可能通知を受信し、再度、Ｗ−ＣＤＭＡ基地局３に対して着信要求を通信回線を介して送信する（Ｓ７０９）。
【００８５】
Ｗ−ＣＤＭＡ基地局３は、携帯電話事業者交換網４から着信要求を受信する。そして、Ｗ−ＣＤＭＡ基地局３は、携帯電話端末１に対してＷ−ＣＤＭＡ方式によりページング信号を送信する（Ｓ７１０）。携帯電話端末１は、Ｗ−ＣＤＭＡ通信処理部１０１によってこのページング信号を受信し、Ｗ−ＣＤＭＡ基地局３との間で通常の着信処理を実行する（Ｓ７１１）。これに続いて、携帯電話端末１は通話状態に移行する。
【００８６】
このような一連の処理により、携帯電話端末１においてＷ−ＣＤＭＡ通信処理部１０１がＰＣＨのモニタリングを停止した状態にあったとしても、Ｗ−ＣＤＭＡ方式の着信処理を行うことができる。
【００８７】
発明の実施の形態４．
本発明の実施の形態４は、ＰＤＣ通信処理部１０２が無線エリア外や弱電界を検出した場合の処理に特徴を有する。尚、この発明の実施の形態４にかかる移動体通信システムの全体構成及び携帯電話端末の構成は、図１及び図２に示す構成と同様であり、説明を省略する。
【００８８】
図１０のフローチャートを用いて、本発明の実施の形態４にかかる携帯電話端末１の処理を説明する。この携帯電話端末１では、初期状態において、Ｗ−ＣＤＭＡ通信処理部１０１は停止した状態にあり、ＰＤＣ通信処理部１０２は位置登録が完了し、待受け状態にある（Ｓ８０１）。このような状態において、ＰＤＣ通信処理部１０２が無線エリア外や弱電界を検出した場合（Ｓ８０２）には、停止状態にあったＷ−ＣＤＭＡ通信処理部１０１を起動し、ＰＣＨのモニタリングを実行する（Ｓ８０３）。このとき、ＰＤＣ通信処理部１０２は、起動状態を維持している。
【００８９】
このように、ＰＤＣ通信処理部１０２が無線エリア外や弱電界を検出した場合、即ち通信状態の劣化を検出した場合には、Ｗ−ＣＤＭＡ通信処理部１０１により着信できるような状態に移行しているため、着信の取り逃しを回避することができる。
【００９０】
尚、ＰＤＣ通信処理部１０２が通信状態の劣化を検出するには、受信信号の電界強度の他、ＢＥＲ（Bit Error Rate）やＳＮＲ（Signal to Noise Ratio）等により信号品質を評価するようにしてもよい。
【００９１】
発明の実施の形態５．
本発明の実施の形態５は、ＰＤＣの報知情報（system information）中に、Ｗ−ＣＤＭＡ方式による通信のために必要なチャネルを捕捉するために必要なチャネル情報として周波数やスクランブリングコード（スクランブルコード）を含めたことを特徴とするものである。この発明の実施の形態５は、発明の実施の形態１乃至３にかかる処理シーケンスにおいて、携帯電話端末１のＰＤＣ通信処理部１０２からの起動通知を受けてＷ−ＣＤＭＡ通信処理部１０１が起動する場合の処理に関するものである。尚、この発明の実施の形態５にかかる移動体通信システムの全体構成及び携帯電話端末の構成は、図１及び図２に示す構成と同様であり、説明を省略する。
【００９２】
図１１のフローチャートを用いて、本発明の実施の形態５にかかる携帯電話端末１の処理を説明する。まず、携帯電話端末１のＷ−ＣＤＭＡ通信処理部１０１は、ＰＤＣ通信処理部１０２からの起動通知を受けて起動処理を開始する（Ｓ９０１）。このとき、ＰＤＣの報知情報より既にＷ−ＣＤＭＡの周波数・スクランブリングコードを受信しているか否かが確認される（Ｓ９０２）。このＰＤＣの報知情報は、ＰＤＣ基地局２からＰＤＣ方式により特定のチャネル、例えばＢＣＣＨによって送信される。また、ここでいうＷ−ＣＤＭＡの周波数は、携帯電話端末１が位置する領域においてＷ−ＣＤＭＡ方式により通信可能なチャネルの周波数の候補のことをいい、通常、２又は３の周波数が候補としてあげられる。また、スクランブリングコードも同様である。携帯電話端末１は、Ｗ−ＣＤＭＡの周波数及びスクランブリングコードを受信していない場合には、通常のＷ−ＣＤＭＡ通信処理部１０１の起動処理を実行する（Ｓ９０４）。即ち、例えば３００周波数のチャネルのスキャンを行なった上で、受信可能な周波数のチャネルを選択する。そのため、起動が開始してから完了するまでに１分以上の時間を要する場合もある。
【００９３】
他方、携帯電話端末１が報知情報よりＷ−ＣＤＭＡの周波数及びスクランブリングコードを受信していた場合には、受信した周波数及びスクランブリングコードを用いてＷ−ＣＤＭＡ通信処理部１０１の起動処理を実行する（Ｓ９０３）。この場合には、通常、２、３のチャネルのみスキャンすればよいため、起動が開始してから完了するまでの時間、即ち起動時間を大幅に短くすることができる。尚、この例では、チャネル情報として周波数とスクランブリングコードの双方を例示したが、いずれか一方でもよく、またその他の情報であってもよい。
【００９４】
発明の実施の形態６．
本発明の実施の形態６は、発明の実施の形態５と同様に、ＰＤＣの報知情報中に、Ｗ−ＣＤＭＡ方式による通信のために必要なチャネルを捕捉するために必要なチャネル情報としてＷ−ＣＤＭＡの周波数やスクランブリングコードを含めたことを特徴とするものである。特に、この発明の実施の形態６では、電源がオフ状態にある携帯電話端末１の電源をオン状態にした場合の処理に関するものである。尚、この発明の実施の形態６にかかる移動体通信システムの全体構成及び携帯電話端末の構成は、図１及び図２に示す構成と同様であり、説明を省略する。
【００９５】
図１２のフローチャートを用いて、本発明の実施の形態６にかかる携帯電話端末１の処理を説明する。まず、携帯電話端末１の電源をオン状態にすると（Ｓ１００１）、ＰＤＣ通信処理部１０２及びＷ−ＣＤＭＡ通信処理部１０１ともに起動を開始する（Ｓ１００２）。一般にＰＤＣ通信処理部１０２とＷ−ＣＤＭＡ通信処理部１０１とでは、Ｗ−ＣＤＭＡ通信処理部１０１の方がＰＤＣ通信処理部１０２よりも処理が複雑であるため、ＰＤＣ通信処理部１０２の方が早く起動が完了する。
【００９６】
起動が完了したＰＤＣ通信処理部１０２は、ＰＤＣの報知情報中に含まれるＷ−ＣＤＭＡの周波数・スクランブリングコードを受信する（Ｓ１００３）。そして、受信した周波数及びスクランブリングコードを用いてＷ−ＣＤＭＡ通信処理部１０１の起動処理を実行する（Ｓ１００４）。この場合には、通常、２、３のチャネルのみスキャンすればよいため、起動が開始してから完了するまでの時間、即ち起動時間を大幅に短くすることができる。尚、この例では、チャネル情報として周波数とスクランブリングコードの双方を例示したが、いずれか一方でもよく、またその他の情報であってもよい。
【００９７】
発明の実施の形態７．
本発明の実施の形態７は、着信時に、ＰＤＣ方式及びＷ−ＣＤＭＡ方式のどちらの方式で応答するかをユーザに選択させるものである。尚、この発明の実施の形態７にかかる移動体通信システムの全体構成及び携帯電話端末の構成は、図１及び図２に示す構成と同様であり、説明を省略する。
【００９８】
図１３のフローチャートを用いて、本発明の実施の形態７にかかる携帯電話端末１の処理を説明する。携帯電話端末１では、初期状態において、Ｗ−ＣＤＭＡ通信処理部１０１は停止した状態にあり、ＰＤＣ通信処理部１０２は位置登録が完了し、待受け状態にある。
【００９９】
携帯電話端末１のＷ−ＣＤＭＡ通信処理部１０１が起動要求を受信すると（Ｓ１１０１）、その表示装置１９に受信システムの選択を促すメッセージを表示する（Ｓ１１０２）。ユーザがこのメッセージに応じてキーボード１６を操作し、受信方式の選択を入力する。ここで、ユーザがＷ−ＣＤＭＡ方式を選択した場合（Ｓ１１０３）には、Ｗ−ＣＤＭＡ通信処理部１０１を起動し、位置登録後、着信処理を行なう（Ｓ１１０４）。この場合には、Ｗ−ＣＤＭＡ方式により通話することになる。他方、ユーザがＷ−ＣＤＭＡ方式を選択しなかった場合には、ＰＤＣ通信処理部１０２により着信処理を実行する（Ｓ１１０５）。この場合には、ＰＤＣ方式により通話することになる。尚、この例では、受信方式の選択を促すメッセージを表示装置１９に表示するようにしたが、これに限らず、音声により出力してもよい。また、受信方式の選択入力も音声により可能である。
【０１００】
その他の発明の実施の形態．
尚、上述の例では、２つの通信方式にて通信を行なうことができるデュアル端末を例示し説明したが、これに限らず、３つ以上の通信方式にて通信を行なうことができるマルチモード端末であっても適用可能である。また、その通信方式もＰＤＣ方式、Ｗ−ＣＤＭＡ方式に限定されるものではなく、ＰＨＳ方式、cdma２０００方式等その他の通信方式であってもよい。
【０１０１】
また、上述の例では、特に受信処理に関して消費電力の違いが大きい２つの通信方式を例にあげたが、これに限らず、消費電力が同程度の通信方式であってもよい。この場合にも、一方の通信方式を処理する通信処理部を停止状態等にすることによって省電力化の効果を得ることができる。さらには、消費電力が少ない側の通信方式を処理する通信処理部を停止状態等にすることでも効果は少なくなるが、全体的な省電力化は達成可能である。
【０１０２】
Ｗ−ＣＤＭＡ方式による通信が終了した場合には、基本的に、Ｗ−ＣＤＭＡ通信処理部１０１は停止状態またはページングチャネルのモニタリング停止状態に移行する。これにより、さらに移動体通信端末の省電力化が図れる。
【０１０３】
上述の例で、携帯電話端末１は、Ｗ−ＣＤＭＡ方式により通話している間は、ＰＤＣ通信処理部１０２を停止させるようにしてもよい。若しくは、この間は、ＰＤＣ通信処理部１０２は、ＰＣＨのモニタリングを停止するようにしてもよい。
【０１０４】
【発明の効果】
本発明により、消費電力の削減を図ることができる移動体通信端末、移動体通信システム及び通信方法を提供することができる。
【図面の簡単な説明】
【図１】本発明にかかる移動体通信システムの構成図である。
【図２】本発明にかかる移動体通信端末の構成図である。
【図３】本発明にかかる移動体通信システムの処理を示すシーケンス図である。
【図４】本発明にかかる移動体通信システムの処理を示すシーケンス図である。
【図５】本発明にかかる携帯電話事業者交換網の処理を示すフローチャートである。
【図６】本発明にかかるＰＤＣ基地局の処理を示すフローチャートである。
【図７】本発明にかかる携帯電話端末の処理を示すフローチャートである。
【図８】本発明にかかる移動体通信システムの処理を示すシーケンス図である。
【図９】本発明にかかる移動体通信システムの処理を示すシーケンス図である。
【図１０】本発明にかかる移動体通信端末の処理を示すフローチャートである。
【図１１】本発明にかかる移動体通信端末の処理を示すフローチャートである。
【図１２】本発明にかかる移動体通信端末の処理を示すフローチャートである。
【図１３】本発明にかかる移動体通信端末の処理を示すフローチャートである。
【符号の説明】
１  携帯電話端末  ２  ＰＤＣ基地局  ３  Ｗ−ＣＤＭＡ基地局
４  携帯電話事業者交換網  １１  Ｗ−ＣＤＭＡ無線部
１２  Ｗ−ＣＤＭＡ制御部  １３  ＰＤＣ無線部
１４  ＰＤＣ制御部  １０１  Ｗ−ＣＤＭＡ通信処理部
１０２  ＰＤＣ通信処理部
【図１】
0003915022.tif 000002
【図２】
0003915022.tif 000003
【図３】
0003915022.tif 000004
【図４】
0003915022.tif 000005
【図５】
0003915022.tif 000006
【図６】
0003915022.tif 000007
【図７】
0003915022.tif 000008
【図８】
0003915022.tif 000009
【図９】
0003915022.tif 000010
【図１０】
0003915022.tif 000011
【図１１】
0003915022.tif 000012
【図１２】
0003915022.tif 000013
【図１３】
0003915022.tif 000014